(57)【特許請求の範囲】
【請求項１】
携帯端末に内蔵された非接触ＩＣカードと、
利用者の属性情報に紐付けして、広告とクーポンの識別子とを記憶部に予め記憶し、前記非接触ＩＣカードから前記属性情報を読み出し、読み出した前記属性情報に紐付けされて前記記憶部に記憶されている前記広告と前記クーポンの識別子とを前記非接触ＩＣカードに書き込む広告配信端末と、
前記クーポンが利用された場合、前記クーポンの識別子に紐付けして、前記クーポンが利用されたことを表す利用済フラグと自己の店舗端末の識別子とを前記非接触ＩＣカードに書き込む店舗端末と、を有し、
前記広告配信端末は、
前記非接触ＩＣカードから、前記利用済フラグが紐付けされた前記クーポンの識別子と前記クーポンの識別子に紐付けされた前記店舗端末の識別子とを読み出すと共に、前記属性情報を読み出し、読み出した前記属性情報に紐付けして、読み出した前記クーポンの識別子と前記店舗端末の識別子とを前記記憶部に記憶し、
前記携帯端末は、
自己の携帯端末の非接触ＩＣカードに書き込まれた前記クーポンの識別子を譲渡する場合、譲渡先の携帯端末の非接触ＩＣカードに対し、前記クーポンの識別子と紐付けして、自己の携帯端末の識別子を譲渡元の携帯端末の識別子として書き込み、
前記広告配信端末は、
前記非接触ＩＣカードから、前記クーポンの識別子に紐付けされた前記譲渡元の携帯端末の識別子も読み出し、前記属性情報に紐付けして、前記クーポンの識別子と前記店舗端末の識別子と前記譲渡元の携帯端末の識別子とを前記記憶部に記憶する、広告配信システム。
【請求項２】
前記携帯端末は、
自己の携帯端末の非接触ＩＣカードに書き込まれた前記クーポンの識別子を譲渡する場合、自己の携帯端末の非接触ＩＣカードに対し、前記クーポンの識別子が譲渡されたことを表す譲渡フラグを書き込み、
前記広告配信端末は、
前記譲渡フラグが書き込まれている非接触ＩＣカードから、該非接触ＩＣカードを内蔵した携帯端末の識別子を前記譲渡元の携帯端末の識別子として読み出すと共に、利用者の属性情報を読み出し、読み出した前記譲渡元の携帯端末の識別子と前記属性情報とを前記記憶部に記憶する、請求項１に記載の広告配信システム。
【請求項３】
前記広告配信端末は、改札機であり、
前記非接触ＩＣカードは、非接触ＩＣカード型の乗車券である、請求項１または２に記載の広告配信システム。
【請求項４】
利用者の属性情報に紐付けして、広告とクーポンの識別子とを予め記憶する記憶部と、
携帯端末に内蔵された非接触ＩＣカードから前記属性情報を読み出し、読み出した前記属性情報に紐付けされて前記記憶部に記憶されている前記広告と前記クーポンの識別子とを前記非接触ＩＣカードに書き込むと共に、前記非接触ＩＣカードから、前記クーポンが利用されたことを表す利用済フラグが紐付けされた前記クーポンの識別子と、前記クーポンの識別子に紐付けされた、前記クーポンが利用された店舗端末の識別子と、を読み出すと共に、前記属性情報を読み出すＲ／Ｗ部と、を有し、
前記記憶部は、前記非接触ＩＣカードから読み出された前記属性情報に紐付けして、前記非接触ＩＣカードから読み出された前記クーポンの識別子と前記店舗端末の識別子とを記憶し、
前記Ｒ／Ｗ部は、譲渡元の携帯端末から譲渡先の携帯端末に前記クーポンの識別子が譲渡された場合、前記譲渡先の携帯端末の非接触ＩＣカードから、前記クーポンの識別子に紐付けされた前記譲渡元の携帯端末の識別子も読み出し、
前記記憶部は、前記属性情報に紐付けして、前記クーポンの識別子と前記店舗端末の識別子と前記譲渡元の携帯端末の識別子とを記憶する、広告配信端末。
【請求項５】
広告配信端末が、利用者の属性情報に紐付けして、広告とクーポンの識別子とを記憶部に予め記憶し、携帯端末に内蔵された非接触ＩＣカードから前記属性情報を読み出し、読み出した前記属性情報に紐付けされて前記記憶部に記憶されている前記広告と前記クーポンの識別子とを前記非接触ＩＣカードに書き込み、
店舗端末が、前記クーポンが利用された場合、前記クーポンの識別子に紐付けして、前記クーポンが利用されたことを表す利用済フラグと自己の店舗端末の識別子とを前記非接触ＩＣカードに書き込み、
前記広告配信端末が、前記非接触ＩＣカードから、前記利用済フラグが紐付けされた前記クーポンの識別子と前記クーポンの識別子に紐付けされた前記店舗端末の識別子とを読み出すと共に、前記属性情報を読み出し、読み出した前記属性情報に紐付けして、読み出した前記クーポンの識別子と前記店舗端末の識別子とを前記記憶部に記憶し、
前記携帯端末が、自己の携帯端末の非接触ＩＣカードに書き込まれた前記クーポンの識別子を譲渡する場合、譲渡先の携帯端末の非接触ＩＣカードに対し、前記クーポンの識別子と紐付けして、自己の携帯端末の識別子を譲渡元の携帯端末の識別子として書き込み、
前記広告配信端末が、前記非接触ＩＣカードから、前記クーポンの識別子に紐付けされた前記譲渡元の携帯端末の識別子も読み出し、前記属性情報に紐付けして、前記クーポンの識別子と前記店舗端末の識別子と前記譲渡元の携帯端末の識別子とを前記記憶部に記憶する、広告配信方法。
【発明の詳細な説明】
【技術分野】
【０００１】
本発明は、広告配信システム、広告配信端末、広告配信方法に関する。
【背景技術】
【０００２】
近年、改札機は、非接触ＩＣカード型の乗車券または非接触ＩＣカード型の乗車券の機能を内蔵した携帯端末と通信し、改札処理を行うものが主流となっている。
【０００３】
また、最近は、この種の改札機を応用した技術も提案されており、例えば、特許文献１には、改札機が携帯端末に広告を配信する技術が開示されている。
【先行技術文献】
【特許文献】
【０００４】
【特許文献１】特開２００７−２１３２７７号公報
【発明の概要】
【発明が解決しようとする課題】
【０００５】
しかしながら、特許文献１に開示された技術においては、改札機が携帯端末に広告を配信することはできるものの、広告主や広告事業者（改札機を管理する事業者）にとって、その広告を配信したことの効果を知ることができないという課題がある。
【０００６】
そこで、本発明の目的は、広告主や広告事業者が広告を配信したことの効果を知ることができる広告配信システム、広告配信端末、広告配信方法を提供することにある。
【課題を解決するための手段】
【０００７】
本発明の広告配信システムは、
非接触ＩＣカードと、
広告とクーポンの識別子とを前記非接触ＩＣカードに書き込む広告配信端末と、
前記クーポンが利用された場合、前記クーポンの識別子に紐付けして、前記クーポンが利用されたことを表す利用済フラグと自己の店舗端末の識別子とを前記非接触ＩＣカードに書き込む店舗端末と、を有し、
前記広告配信端末は、
前記非接触ＩＣカードから、前記利用済フラグが紐付けされた前記クーポンの識別子と前記クーポンの識別子に紐付けされた前記店舗端末の識別子とを読み出し、読み出した前記クーポンの識別子と前記店舗端末の識別子とを記憶部に記憶する。
【０００８】
本発明の広告配信端末は、
広告とクーポンの識別子とを非接触ＩＣカードに書き込むと共に、前記非接触ＩＣカードから、前記クーポンが利用されたことを表す利用済フラグが紐付けされた前記クーポンの識別子と、前記クーポンの識別子に紐付けされた、前記クーポンが利用された店舗端末の識別子と、を読み出すＲ／Ｗ部と、
前記非接触ＩＣカードから読み出された前記クーポンの識別子と前記店舗端末の識別子とを記憶する記憶部と、を有する。
【０００９】
本発明の広告配信方法は、
広告配信端末が、広告とクーポンの識別子とを非接触ＩＣカードに書き込み、
店舗端末が、前記クーポンが利用された場合、前記クーポンの識別子に紐付けして、前記クーポンが利用されたことを表す利用済フラグと自己の店舗端末の識別子とを前記非接触ＩＣカードに書き込み、
前記広告配信端末が、前記非接触ＩＣカードから、前記利用済フラグが紐付けされた前記クーポンの識別子と前記クーポンの識別子に紐付けされた前記店舗端末の識別子とを読み出し、読み出した前記クーポンの識別子と前記店舗端末の識別子とを記憶部に記憶する。
【発明の効果】
【００１０】
本発明によれば、広告配信端末は、広告とクーポン識別子とを非接触ＩＣカードに書き込み、店舗端末は、クーポンの利用時に、クーポン識別子に紐付けして、利用済フラグと自己の店舗端末の識別子とを非接触ＩＣカードに書き込み、広告配信端末は、非接触ＩＣカードから、利用済フラグが紐付けされたクーポンの識別子と、そのクーポンの識別子に紐付けされた店舗端末の識別子と、を読み出し、記憶部に記憶する。
【００１１】
したがって、広告主や広告事業者は、広告配信端末に記憶された記憶内容から、広告と共に配信したどのようなクーポンがどのような店舗で利用されたのかを知ることができ、その広告を配信したことによる効果を知ることができる。
【図面の簡単な説明】
【００１２】
【図１】本発明の第１の実施形態の広告配信システムの構成を示すブロック図である。
【図２】図１に示した広告配信システムの広告配信時の動作を説明するシーケンス図である。
【図３】図１に示した広告配信システムのクーポン利用時の動作を説明するシーケンス図である。
【図４】図１に示した広告配信システムのクーポンの利用履歴の記憶時の動作を説明するシーケンス図である。
【図５】本発明の第２の実施形態の広告配信システムの構成を示すブロック図である。
【図６】図５に示した広告配信システムのクーポンＩＤの授受時の動作を説明するシーケンス図である。
【図７】図５に示した広告配信システムのクーポンの利用履歴の記憶時の動作を説明するシーケンス図である。
【図８】図５に示した広告配信システムのクーポンの利用履歴の記憶時の動作を説明するシーケンス図である。
【発明を実施するための形態】
【００１３】
以下に、本発明を実施するための形態について図面を参照して説明する。
（１）第１の実施形態
（１−１）第１の実施形態の構成
（１−１−１）広告配信システムの全体構成
図１に示すように、本実施形態の広告配信システムは、携帯端末１０と、改札機２０と、店舗端末３０と、を有している。なお、改札機２０は、本発明の広告配信端末の一例である。
【００１４】
携帯端末１０は、非接触ＩＣカード型の乗車券の機能を内蔵した携帯電話機等であり、非接触ＩＣカード型の乗車券に相当する部分であるＩＣカード部１１を有している。
【００１５】
改札機２０は、駅の改札口に設置され、改札処理を行う改札機である。利用者は、改札機２０に携帯端末１０をかざすことで、改札機２０を通過する。
【００１６】
改札機２０は、利用者が携帯端末１０をかざして改札機２０を通過する時に、携帯端末１０のＩＣカード部１１との間で、改札処理に関する情報の読み出しおよび書き込みを行うと共に、携帯端末１０のＩＣカード部１１に対し、広告とクーポンのクーポンＩＤ（クーポンの識別子）とを書き込む。
【００１７】
店舗端末３０は、改札機２０が配信したクーポンを利用可能な店舗に設置された端末である。利用者は、店舗端末３０に携帯端末１０をかざすことで、その店舗端末３０が設置された店舗にてクーポンを利用する。
【００１８】
店舗端末３０は、利用者が携帯端末１０をかざしてクーポンを利用した場合、携帯端末１０のＩＣカード部１１に対し、クーポンＩＤに紐付けして、クーポンが利用されたことを表す利用済フラグと自己の店舗端末ＩＤ（店舗端末の識別子）とを書き込む。
【００１９】
また、改札機２０は、利用者が携帯端末１０をかざして改札機２０を通過する時に、携帯端末１０のＩＣカード部１１に利用済フラグが書き込まれている場合、携帯端末１０のＩＣカード部１１から、利用済フラグに紐付けされたクーポンＩＤと、そのクーポンＩＤに紐付けされた店舗端末ＩＤと、を読み出し、記憶する。
【００２０】
続いて、携帯端末１０、改札機２０、および店舗端末３０の各々の詳細構成について説明する。なお、図１は、携帯端末１０、改札機２０、および店舗端末３０内の構成要素のうち本発明の特徴的な構成要素のみを示しており、その他の構成要素は省略している。
（１−１−２）携帯端末１０の構成
携帯端末１０は、上述したＩＣカード部１１の他に、表示部１２と、制御部１３と、を有している。
【００２１】
ＩＣカード部１１は、乗車券領域１１Ａと、共通領域１１Ｂと、を有している。
【００２２】
乗車券領域１１Ａは、乗車券情報が格納される領域である。乗車券情報とは、乗車料金として利用可能な金額を示す金額情報、定期券の有効期限や有効区間を示す定期券情報、携帯端末１０の利用者の性別や生年月日などの属性を示す属性情報などである。
【００２３】
共通領域１１Ｂは、乗車券領域１１Ａ以外の領域である。例えば、共通領域１１Ｂには、改札機２０からは、広告の表示用画面やクーポンの表示用画面およびクーポンＩＤが書き込まれ、また、店舗端末３０からは、利用済フラグや店舗端末ＩＤが書き込まれる。
【００２４】
表示部１２は、各種の情報を表示する部分である。例えば、表示部１２は、広告やクーポンの表示用画面などを表示する。
【００２５】
制御部１３は、携帯端末１０内の構成要素を制御する部分である。
（１−１−３）改札機２０の構成
改札機２０は、記憶部２１と、Ｒ／Ｗ（Reader/Writer）部２２と、制御部２３と、を有している。
【００２６】
記憶部２１は、各種の情報を記憶する部分であり、広告・クーポン記憶部２１Ａと、利用履歴記憶部２１Ｂと、を有している。
【００２７】
広告・クーポン記憶部２１Ａは、利用者の性別や年代などの属性を示す属性情報に紐付けして、広告の表示用画面と、クーポンの表示用画面およびクーポンＩＤと、をセットにして記憶する。
【００２８】
ここで、利用者の属性情報により紐付けされた広告とクーポンとの関係は、商品に関する広告とその商品を販売する店舗にて利用可能なクーポンという関係、または、サービスに関する広告とそのサービスを提供する店舗にて利用可能なクーポンという関係などである。
【００２９】
利用履歴記憶部２１Ｂは、利用者の性別や年代などの属性を示す属性情報に紐付けして、その利用者が利用したクーポンのクーポンＩＤと、そのクーポンを利用した店舗に設置された店舗端末ＩＤと、をセットにして記憶する。
【００３０】
なお、広告・クーポン記憶部２１Ａおよび利用履歴記憶部２１Ｂは、利用者の属性情報の種別を置換する機能を備えている。そのため、例えば、乗車券領域１１Ａに利用者の「生年月日」が格納されていた場合、これを「年代」に置換した上で、属性情報の読み出しや記憶を行うことができる。なお、この置換機能を使用せず、例えば、利用者の「生年月日」のままで読み出しや記憶を行うことも当然に可能である。
【００３１】
Ｒ／Ｗ部２２は、ＩＣカード部１１の乗車券領域１１Ａおよび共通領域１１Ｂとの間で、各種の情報の読み出しおよび書き込みを行う。
【００３２】
例えば、Ｒ／Ｗ部２２は、乗車券領域１１Ａとの間では、改札処理に関する情報の読み出しおよび書き込みを行うと共に、利用者の属性情報の読み出しを行う。
【００３３】
また、Ｒ／Ｗ部２２は、共通領域１１Ｂとの間では、広告の表示用画面とクーポンの表示用画面およびクーポンＩＤの書き込みを行うと共に、クーポンＩＤと利用者済フラグと店舗端末ＩＤの読み出しを行う。
【００３４】
制御部２３は、改札機２０内の構成要素を制御する部分である。
（１−１−４）店舗端末３０の構成
店舗端末３０は、記憶部３１と、Ｒ／Ｗ部３２と、制御部３３と、を有している。
【００３５】
記憶部３１は、各種の情報を記憶する部分である。例えば、記憶部３１は、自己の店舗端末の店舗端末ＩＤなどを記憶する。
【００３６】
Ｒ／Ｗ部３２は、ＩＣカード部１１の共通領域１１Ｂとの間で、各種の情報の読み出しおよび書き込みを行う。
【００３７】
例えば、Ｒ／Ｗ部３２は、共通領域１１Ｂとの間で、クーポンＩＤの読み出しを行うと共に、利用者済フラグと店舗端末ＩＤの書き込みを行う。
【００３８】
制御部３３は、店舗端末３０内の構成要素を制御する部分である。
（１−２）第１の実施形態の動作
以下、本実施形態の広告配信システムの動作について説明する。
（１−２−１）広告配信時の動作
まず、広告配信時の動作について、図２を参照して説明する。
【００３９】
図２に示すように、利用者は、改札機２０を通過する際に、改札機２０に携帯端末１０をかざす。すると、Ｒ／Ｗ部２２は、携帯端末１０のＩＣカード部１１の乗車券領域１１Ａとの間で、改札処理に関する情報の読み出しおよび書き込みを行う（ステップＡ１）。
【００４０】
具体的には、Ｒ／Ｗ部２２は、利用者の通過の可否を判定するために、乗車券領域１１Ａから金額情報や定期券情報を読み出し、また、利用者の通過可と判定した場合は、自己が設置されている駅や日時の情報を乗車券領域１１Ａに書き込む。
【００４１】
次に、Ｒ／Ｗ部２２は、乗車券領域１１Ａから利用者の性別や生年月日などの属性情報も読み出す（ステップＡ２）。
【００４２】
次に、Ｒ／Ｗ部２２は、利用者の属性情報を広告・クーポン記憶部２１Ａに出力し（ステップＡ３）、広告・クーポン記憶部２１Ａは、自己に記憶された広告とクーポンの中から、Ｒ／Ｗ部２２から出力された属性情報に紐付けられた広告とクーポンのセットを特定する（ステップＡ４）。
【００４３】
そして、広告・クーポン記憶部２１Ａは、上記で特定した広告の表示用画面をＲ／Ｗ部２２に出力し（ステップＡ５）、Ｒ／Ｗ部２２は、広告・クーポン記憶部２１Ａから出力された広告の表示用画面を共通領域１１Ｂに書き込む（ステップＡ６）。
【００４４】
続いて、広告・クーポン記憶部２１Ａは、上記で特定したクーポンの表示用画面とクーポンＩＤとをＲ／Ｗ部２２に出力し（ステップＡ７，Ａ９）、Ｒ／Ｗ部２２は、広告・クーポン記憶部２１Ａから出力されたクーポンの表示用画面とクーポンＩＤとを共通領域１１Ｂに書き込む（ステップＡ８，Ａ１０）。
【００４５】
これを受けて、携帯端末１０の制御部１３は、表示部１２に広告やクーポンの表示用画面を表示する。これにより、利用者が広告やクーポンの内容を確認することができる。
【００４６】
なお、携帯端末１０の制御部１３は、利用者の操作に応じて、表示部１２に広告やクーポンの表示用画面を表示しても良いし、表示部１２に強制的に広告やクーポンの表示用画面を一定時間表示しても良い。
（１−２−２）クーポン利用時の動作
続いて、クーポン利用時の動作について、図３を参照して説明する。
【００４７】
図３に示すように、利用者は、クーポンを利用する際に、店舗端末３０に携帯端末１０をかざす。すると、Ｒ／Ｗ部３２は、携帯端末１０のＩＣカード部１１の共通領域１１Ｂに利用済フラグが紐付けされてないクーポンＩＤが書き込まれていれば、共通領域１１Ｂから、そのクーポンＩＤを読み出す（ステップＢ１）。
【００４８】
次に、記憶部３１は、自己の店舗端末３０の店舗端末ＩＤをＲ／Ｗ部３２に出力し（ステップＢ２）、Ｒ／Ｗ部３２は、クーポンＩＤと紐付けして、クーポンが利用されたことを表す利用済フラグと、記憶部３１から出力された店舗端末ＩＤと、を共通領域１１Ｂに書き込む（ステップＢ３，Ｂ４）。
（１−２−３）クーポンの利用履歴の記憶時の動作
続いて、クーポンの利用履歴の記憶時の動作について、図４を参照して説明する。
【００４９】
図４に示すように、利用者は、改札機２０を通過する際に、改札機２０に携帯端末１０をかざす。すると、Ｒ／Ｗ部２２は、携帯端末１０のＩＣカード部１１の乗車券領域１１Ａとの間で、改札処理に関する情報の読み出しおよび書き込みを行う（ステップＣ１）。
【００５０】
次に、Ｒ／Ｗ部２２は、共通領域１１Ｂに利用済フラグが書き込まれていれば、共通領域１１Ｂから、その利用済フラグを読み出すと共に（ステップＣ２）、その利用済フラグに紐付けされたクーポンＩＤと、そのクーポンＩＤに紐付けされた店舗端末ＩＤとを読み出す（ステップＣ３，Ｃ４）。
【００５１】
次に、Ｒ／Ｗ部２２は、乗車券領域１１Ａから利用者の性別や生年月日などの属性情報を読み出す（ステップＣ５）。
【００５２】
次に、Ｒ／Ｗ部２２は、利用者の属性情報にクーポンＩＤと店舗端末ＩＤとを紐付けした上で利用履歴記憶部２１Ｂに出力し（ステップＣ６，Ｃ７，Ｃ８）、利用履歴記憶部２１Ｂは、利用者の属性情報に紐付けして、クーポンＩＤと店舗端末ＩＤとをセットで記憶する（ステップＣ９，Ｃ１０，Ｃ１１）。
【００５３】
なお、利用履歴記憶部２１に記憶された、利用者の属性情報に紐付けされたクーポンＩＤと店舗端末ＩＤの情報は、利用者のプライバシー保護の観点から、利用者個人を特定しない措置を講じた上での提供の承諾を利用者から得た上で、広告事業者（本発明の広告配信端末を管理する事業者）から広告主に提供することができる。利用者個人を特定しない措置としては、例えば、利用者の属性情報を、上述した性別や年代など、利用者個人を特定しない属性とすることが考えられる。
（１−３）第１の実施形態の効果
上述したように本実施形態によれば、改札機２０は、広告とクーポンＩＤとを携帯端末１０に書き込み、店舗端末３０は、クーポンの利用時に、クーポンＩＤに紐付けして、利用済フラグと自己の店舗端末ＩＤとを携帯端末１０に書き込み、改札機２０は、携帯端末１０から、利用済フラグが紐付けされたクーポンＩＤと、そのクーポンＩＤに紐付けされた店舗端末ＩＤと、を読み出し、記憶部２１に記憶する。
【００５４】
したがって、広告主や広告事業者は、改札機２０に記憶された記憶内容から、利用者が、広告と共に配信したどのようなクーポンをどのような店舗で利用したのかを知ることができ、その広告を配信したことの効果を知ることができる。
【００５５】
また、本実施形態によれば、改札機２０は、広告とクーポンＩＤとを携帯端末１０に書き込む前に、携帯端末１０から利用者の属性情報を読み出し、利用者の属性情報に紐付けされた広告とクーポンＩＤとを携帯端末１０に書き込む。
【００５６】
したがって、広告主や広告事業者は、利用者の属性に合致した適切な広告とクーポンＩＤとを携帯端末１０に配信することができる。
【００５７】
また、本実施形態によれば、改札機２０は、クーポンＩＤと店舗端末ＩＤとを記憶する前に、携帯端末１０から利用者の属性情報を読み出し、利用者の属性情報に紐付けして、クーポンＩＤと店舗端末ＩＤとを記憶する。
【００５８】
ここで、改札機２０に記憶された、利用者の属性情報に紐付けされたクーポンＩＤと店舗端末ＩＤの情報は、利用者個人を特定しない措置を講じた上での提供の承諾を利用者から得た上で広告主に提供することができる。
【００５９】
したがって、広告主は、クーポンを利用した利用者の属性情報（利用者個人を特定しないもの）を、利用者との直接の情報のやりとりなく、かつ、利用者からの情報利用に関する承諾を受けることなく、広告事業者から得ることができる。
【００６０】
また、広告事業者は、利用者個人を特定しない措置を講じた上での情報の提供の承諾を利用者から一度だけ受けることで、広告主に対し、利用者の属性情報を継続的に提供し続けることができる。
【００６１】
また、広告主や広告事業者は、どのような属性の利用者が、広告と共に配信したどのようなクーポンをどのような店舗で利用したのかを知ることができる。
（２）第２の実施形態
（２−１）第２の実施形態の構成
本実施形態においては、改札機２０により書き込まれたクーポンＩＤを、携帯端末１０間で授受することが可能な構成となっている。
【００６２】
そのため、図５に示すように、携帯端末１０には、Ｒ／Ｗ部１４が追加されている。
【００６３】
Ｒ／Ｗ部１４は、自己の携帯端末１０内のＩＣカード部１１および他の携帯端末１０内のＩＣカード部１１との間で、各種の情報の読み出しおよび書き込みを行う。
【００６４】
例えば、Ｒ／Ｗ部１４は、クーポンＩＤを譲渡する場合、他の携帯端末１０内のＩＣカード部１１との間では、クーポンＩＤの書き込みを行う共に、自己の携帯端末１０の携帯端末ＩＤ（携帯端末の識別子）をクーポンＩＤの譲渡元の携帯端末ＩＤとして書き込む。また、自己の携帯端末１０内のＩＣカード部１１との間では、クーポンＩＤが譲渡されたことを表す譲渡フラグの書き込みを行う。
【００６５】
なお、本実施形態においては、自己の携帯端末１０の携帯端末ＩＤは、ＩＣカード部１１内の乗車券領域１１Ａに格納されているものとして説明するが、本発明はこれに限定されず、他の領域に格納されていても良い。
【００６６】
また、Ｒ／Ｗ部１４は、クーポンＩＤを譲渡する場合、自己の携帯端末１０内のＩＣカード部１１にクーポンＩＤを残しておいても良いし、削除しても良い。
（２−２）第２の実施形態の動作
以下、本実施形態の広告配信システムの動作について説明する。
（２−２−１）広告配信時の動作
広告配信時の動作は、第１の実施形態と同様である（図２参照）。
（２−２−２）クーポンＩＤの授受時の動作
続いて、クーポンＩＤの授受時の動作について、図６を参照して説明する。ここでは、携帯端末１０−ＡがクーポンＩＤを携帯端末１０−Ｂに譲渡するものとする。
【００６７】
図６に示すように、携帯端末１０−Ａ，１０−Ｂの利用者は、クーポンＩＤを授受する際に、携帯端末１０−Ａ，１０−Ｂをかざし合う。
【００６８】
すると、携帯端末１０−ＡのＲ／Ｗ部１４は、携帯端末１０−ＡのＩＣカード部１１の共通領域１１Ｂに利用済フラグが紐付けされてないクーポンＩＤが書き込まれていれば、そのクーポンＩＤを読み出すと共に、乗車券領域１１Ａから携帯端末１０−Ａの携帯端末ＩＤを読み出す（ステップＤ１，Ｄ２）。
【００６９】
次に、携帯端末１０−ＡのＲ／Ｗ部１４は、クーポンＩＤと紐付けして、携帯端末１０−Ａの携帯端末ＩＤを、譲渡元の携帯端末ＩＤとして、携帯端末１０−ＢのＩＣカード部１１の共通領域１１Ｂに書き込む（ステップＤ３，Ｄ４）
次に、携帯端末１０−ＡのＲ／Ｗ部１４は、携帯端末１０−ＡのＩＣカード部１１の共通領域１１Ｂに、クーポンＩＤが譲渡されたことを表す譲渡フラグを書き込む（ステップＤ５）。
（２−２−３）クーポン利用時の動作
クーポン利用時の動作は、第１の実施形態と同様である（図３参照）。
（２−２−４）クーポンの利用履歴の記憶時の動作
続いて、クーポンの利用履歴の記憶時の動作について説明する。
【００７０】
まず、クーポンＩＤの譲渡先の携帯端末１０−Ｂが改札機２０を通過する時の動作について、図７を参照して説明する。
【００７１】
図７に示すように、携帯端末１０−Ｂの利用者は、改札機２０を通過する際に、改札機２０に携帯端末１０−Ｂをかざす。すると、Ｒ／Ｗ部２２は、携帯端末１０−ＢのＩＣカード部１１の乗車券領域１１Ａとの間で、改札処理に関する情報の読み出しおよび書き込みを行う（ステップＥ１）。
【００７２】
次に、Ｒ／Ｗ部２２は、共通領域１１Ｂに利用済フラグが書き込まれていれば、共通領域１１Ｂから、その利用済フラグを読み出すと共に（ステップＥ２）、その利用済フラグに紐付けされたクーポンＩＤと、そのクーポンＩＤに紐付けされた店舗端末ＩＤと、そのクーポンＩＤに紐付けされた譲渡元の携帯端末１０−Ａの携帯端末ＩＤと、を読み出す（ステップＥ３，Ｅ４，Ｅ５）。
【００７３】
次に、Ｒ／Ｗ部２２は、乗車券領域１１Ａから、携帯端末１０−Ｂの利用者の性別や生年月日などの属性情報を読み出す（ステップＥ６）。
【００７４】
次に、Ｒ／Ｗ部２２は、携帯端末１０−Ｂの利用者の属性情報にクーポンＩＤと店舗端末ＩＤと携帯端末１０−Ａの携帯端末ＩＤとを紐付けした上で利用履歴記憶部２１Ｂに出力し（ステップＥ７，Ｅ８，Ｅ９，Ｅ１０）、利用履歴記憶部２１Ｂは、携帯端末１０−Ｂの利用者の属性情報に紐付けして、クーポンＩＤと店舗端末ＩＤと携帯端末１０−Ａの携帯端末ＩＤとをセットで記憶する（ステップＥ１１，Ｅ１２，Ｅ１３，Ｅ１４）。
【００７５】
続いて、クーポンＩＤの譲渡元の携帯端末１０−Ａが改札機２０を通過する時の動作について、図８を参照して説明する。
【００７６】
図８に示すように、携帯端末１０−Ａの利用者は、改札機２０を通過する際に、改札機２０に携帯端末１０−Ａをかざす。すると、Ｒ／Ｗ部２２は、携帯端末１０−ＡのＩＣカード部１１の乗車券領域１１Ａとの間で、改札処理に関する情報の読み出しおよび書き込みを行う（ステップＦ１）。
【００７７】
次に、Ｒ／Ｗ部２２は、共通領域１１Ｂに譲渡フラグが書き込まれていれば、共通領域１１Ｂから、その譲渡フラグを読み出すと共に（ステップＦ２）、乗車券領域１１Ａから、携帯端末１０−Ａの携帯端末ＩＤを譲渡元の携帯端末ＩＤとして読み出すと共に、携帯端末１０−Ａの利用者の性別や生年月日などの属性情報を読み出す（ステップＦ３，Ｆ４）。
【００７８】
次に、Ｒ／Ｗ部２２は、携帯端末１０−Ａの携帯端末ＩＤに携帯端末１０−Ａの利用者の属性情報を紐付けした上で記憶部２１に出力する（ステップＦ５，Ｆ６）。
【００７９】
記憶部２１は、携帯端末１０−Ａの携帯端末ＩＤに紐付けして、携帯端末１０−Ａの利用者の属性情報を記憶する（ステップＦ７，Ｆ８）。
【００８０】
このとき、携帯端末１０−Ａの携帯端末ＩＤと利用者の属性情報を記憶させる記憶領域は、利用履歴記憶部２１Ｂでも良いし、その他の記憶領域でも良い。
【００８１】
ただし、クーポンＩＤの譲渡先の携帯端末１０−Ｂが先に改札機２０を通過していれば、携帯端末１０−Ｂの利用者の属性情報に紐付けされて、携帯端末１０−Ａの携帯端末ＩＤが譲渡元の携帯端末ＩＤとして利用履歴記憶部２１Ｂに記憶されているはずである。
【００８２】
その場合は、携帯端末１０−Ｂの利用者の属性情報に紐付けして、携帯端末１０−Ａの携帯端末ＩＤと携帯端末１０−Ａの利用者の属性情報とをセットで利用履歴記憶部２１Ｂに記憶することもできる。
（２−３）第２の実施形態の効果
上述したように本実施形態によれば、携帯端末１０は、クーポンＩＤを譲渡する場合、クーポンＩＤに紐付けして、自己の携帯端末ＩＤを譲渡元の携帯端末ＩＤとして、譲渡先の携帯端末１０に書き込み、改札機２０は、携帯端末１０から、クーポンＩＤに紐付けされた譲渡元の携帯端末ＩＤも読み出し、利用者の属性情報に紐付けして、クーポンＩＤと店舗端末ＩＤと譲渡元の携帯端末ＩＤとを記憶する。
【００８３】
そのため、広告主や広告事業者は、クーポンＩＤがどのような経路で拡散した後に、店舗で利用されたのかを知ることができる。
【００８４】
また、本実施形態によれば、携帯端末１０は、クーポンＩＤを譲渡する場合、自己の携帯端末１０に譲渡フラグを書き込み、改札機２０は、譲渡フラグが書き込まれている携帯端末１０から、その携帯端末１０の携帯端末ＩＤを譲渡元の携帯端末ＩＤとして読み出すと共に、利用者の属性情報を読み出し、譲渡元の携帯端末ＩＤと利用者の属性情報とを記憶する。
【００８５】
そのため、広告主や広告事業者は、上記の拡散経路で関わった譲渡元の携帯端末１０の利用者の属性情報も知ることができる。
【００８６】
その他の効果は第１の実施形態と同様である。
（３）他の実施形態
以上、実施形態を参照して本発明を説明したが、本発明は上記実施形態に限定されるものではない。本発明の構成や詳細には、本発明の範囲内で当業者が理解し得る様々な変更をすることができる。
【００８７】
例えば、上記実施形態では、本発明の広告配信端末が改札機であるものとして説明したが、本発明はこれに限定されず、広告配信端末は駅構内や電車内に配置された端末であっても良い。
【００８８】
また、上記実施形態では、非接触ＩＣカードが携帯端末に内蔵されたものとして説明したが、本発明はこれに限定されず、非接触ＩＣカードは単体であっても良い。
【符号の説明】
【００８９】
１０    携帯端末
１１    ＩＣカード部
１１Ａ    乗車券領域
１１Ｂ    共通領域
１２    表示部
１３    制御部
１４    Ｒ／Ｗ部
２０    改札機
２１    記憶部
２１Ａ    広告・クーポン記憶部
２１Ｂ    利用履歴記憶部
２２    Ｒ／Ｗ部
２３    制御部
３０    店舗端末
３１    記憶部
３２    Ｒ／Ｗ部
３３    制御部
【図１】
0005269966.tif 000002
【図２】
0005269966.tif 000003
【図３】
0005269966.tif 000004
【図４】
0005269966.tif 000005
【図５】
0005269966.tif 000006
【図６】
0005269966.tif 000007
【図７】
0005269966.tif 000008
【図８】
0005269966.tif 000009